(57)【要約】  スポーツ用品の効率のよい取り扱いと運搬を許容し，快適な方法でスポーツ用品を展示するに適したボックス及びバッグを含むシステムに関し，スポーツ用品の運搬用または販売用ボックス及びバッグを含み，前記ボックスは，下部殻体と上部殻体からなり，被せられたとき，殻体の内部にスポーツ用品用バッグの収容空間が形成されていると共に，殻体の一部によって形成されたフラップとフラップに形成された第１の切欠きが設けられ，これによってボックスの通常の使用状態において開口が形成されるものであるシステムであって，前記バッグは，スポーツ用品を収納するための収容空間を備えていると共に，バッグを持ち運ぶためのハンドルを含み，前記ハンドル及びフラップは，バッグがボックスの前記収容空間に収容されたときに，前記ハンドルにフラップが，引っかかるように設計されているシステム。
2012512108.tif 000002
【特許請求の範囲】
【請求項１】
スポーツ用品，特に１対の靴を入れるように設計され，スポーツ用品用，特に，スポーツシューズ或いはスポーツ服の運搬用または販売用ボックス（１）であって，
ボックス（１）は，下部殻体（２）と上部殻体（３）からなり，前記殻体（２，３）のいずれかが他方の殻体上に被せられたとき，殻体（２，３）の内部にスポーツ用品，特に一対の靴のための収容空間（４）が形成され，
前記ボックス（１）は第１の面側（５）を有し，
前記第１の面側（５）には，前記殻体の一方（２）に形成されたフラップ（６）が設けられ，
前記第１の面側（５）には，前記殻体の他方（３）に形成された切欠き（７）が設けられ，
前記ボックス（１）の通常の使用状態において開口（８）が形成される，ボックス。
【請求項２】
前記上部殻体（３）と前記下部殻体（２）はヒンジ部材（９）によって永久的に結合されており，前記殻体（２，３）の一方が他方に対して旋回するようにしてある請求項１に記載のボックス。
【請求項３】
前記２つの殻体（２，３）は単一の基礎材料により作られ，前記ヒンジ部材（３）は前記基礎材料で形成されている請求項２に記載のボックス。
【請求項４】
前記上部殻体（３）と前記下部殻体（２）は，結合手段によって互いに結合できる別々の部分から構成され，前記結合手段は，望ましくはぴったり密着する結合手段である請求項１に記載のボックス。
【請求項５】
前記上部殻体（３）と前記下部殻体（２）は，それらの主要接触領域において中間平面（１０）を形成しており，一方の殻体（２）のフラップ（６）は，前記中間平面（１０）を超えて他方の殻体（３）の領域に延びている請求項１に記載のボックス。
【請求項６】
前記フラップ（６）がその端部の領域に突出部１１を備えており，前記突出部１１は，前記殻体（２）の前記第１の面側（５）の面に垂直に延びている請求項１〜５のいずれかに記載のボックス。
【請求項７】
前記突出部（１１）が，分割されている請求項６に記載のボックス。
【請求項８】
前記切欠き（７）を備えた殻体（３）が，前記切欠き（７）の境界線に沿った突出部（１２）を備えており，前記突出部（１２）が前記殻体（３）の前記第１の面側（５）に垂直に延びている請求項１〜７のいずれかに記載のボックス。
【請求項９】
前記殻体（２，３）が，前記第１の面側（５）の反対側に第２の面側（１３）を備えており，前記第２の面側（１３）に開口（１４）が形成されている請求項ｌ〜８のいずれかに記載のボックス。
【請求項１０】
前記上部殻体（３）が，その頂上側（１６）に切欠き（１５）を備えている請求項ｌ〜９のいずれかに記載のボックス。
【請求項１１】
前記２つの殻体（２，３）が，ボックス（１）を閉止する協働形態固定閉鎖手段（１７，１８，１９，２０）を備えてなる請求項ｌ〜１０のいずれかに記載のボックス。
【請求項１２】
フラップ状壁（６´）が，ボックス（１）が閉じられた時，下部殻体（２）のフラップ（６）と重なる上部殻体（３）の前記第１の面側（５）に形成されている請求項ｌ〜１１のいずれかに記載のボックス。
【請求項１３】
ボール紙あるいはパルプからなっている請求項ｌ〜１２のいずれかに記載のボックス。
【請求項１４】
請求項ｌ〜１３のいずれかに記載の運搬ボックス及び／又は販売ボックス及びスポーツ用品，特に，弾性材料からなるスポーツシューズあるいはスポーツ服用のバッグ（２１）を備えてなるシステムであって，前記バッグ（２１）は，スポーツ用品，特に一対のスポーツシューズを収納するための収容空間を備え，前記バッグ２１は，前記バッグ（２１）を持ち運ぶためのハンドル（２２）を含むシステムにおいて，前記ハンドル（２２）及び前記フラップ（６）は，前記バッグ（２１）が前記ボックス（１）の前記収容空間に収容されたときに，前記ハンドル（２２）に前記フラップ（６）が，引っかかるように設計されていることを特徴とするシステム。
【請求項１５】
ラベルあるいはタグ（２３）が前記ハンドル（２２）に設けられる請求項１４に記載のシステム。
【発明の詳細な説明】
【技術分野】
【０００１】
この発明は，スポーツ用品，特にスポーツシューズ若しくはスポーツ衣類の運搬用ボックス及び／若しくは販売用ボックス（コンテナー／キャリア）に係り，スポーツ用品，特に一対のシューズを入れるように設計されたボックスに関するものである。さらにこの発明はスポーツ用品のためのボックスやバッグを含むシステムに関するものである。
【０００２】
この発明は，具体的には，履物のための運搬用容器（containers）の分野に関連し，更には，特に，ラベルや表示（indicia）システムを含む履物運搬具を収容する運搬用容器に関連するものである。
【背景技術】
【０００３】
運搬および販売用の展示のために特に履物類は適切な容器に梱包されなければならない。厚紙製のシューズボックスは，業界内でよく知られている。
【０００４】
さらに，一対のスポーツシューズを梱包するためにバッグで，後に運搬及び販売用の展示のために容器に梱包されるものが，特許文献１に知られている。
【先行技術文献】
【特許文献】
【０００５】
【特許文献１】米国特許第７，５８１，６４３号明細書
【発明の概要】
【発明が解決しようとする課題】
【０００６】
通常，一方では費用対効果の論理に従うようにスポーツシューズ用の運搬容器を効率よく利用することと，他方では販売においてシューズが展示される時に容器を魅力的に展示することの妥協点を見いださなければならない。
以上のように，この発明の目的は，スポーツ用品を効率の良く取扱い又運搬でき，快適な方法でスポーツ用品を提示するのに適した運搬用及び／若しくは販売用のボックスを提供することである。このボックスは，経済的に製造され，また使用中は安定性に優れている。
【課題を解決するための手段】
【０００７】
この発明の目的は，上述のスポーツ用品のための運搬用及び／若しくは販売用のボックスにより達成される。これらの運搬用及び／若しくは販売用のボックスはまた，下部殻体と上部殻体を備え，一方の殻体が他方の殻体上に載せられた時，スポーツ用品，特に一対のシューズのための収容空間がそれらの殻体内に形成され，前記ボックスは，前記ボックスの通常の使用状態において，開口が形成されるように，一方の殻体の材質から形成され，他方の殻体の材料内に加工された切欠きが形成されたフラップが設けられる第１の面側を備える，という特徴を有する。
前記上部殻体と下部殻体とはヒンジ部材によって永久的に結合され，それにより，一方の殻体を他方の殻体に対して回動させることができる。この場合，好適な実施形態によれば，２つの殻体は一片の主材により作られ，ヒンジ部材は主材から形成される。
或いは，前記上部殻体及び下部殻体は，結合手段によって他に結合できる，別々の部材として設計することもできる。この場合，前記結合手段は，ぴったり密着する結合手段であってもよい。
望ましくは，前記２つの殻体は，それらの主要接触領域で中間面を形成しており，一方の殻体のフラップが，前記中間面を超えて他方の殻体内に延びている。
前記フラップは，その縁部の領域にリッジを備えており，好ましくは前記リッジは殻体の前記第１の面側の平面に垂直に延びている。リッジは分割されていてもよい。
前記切欠きを備えた殻体は，さらに切欠きの境界に沿ってリッジを備えていてもよい。そこでは，前記リッジは好ましくは殻体の前記第１の面側の平面に垂直に延びている。
前記殻体は，前記第１の面側とは反対側に，開口の形成された第２の面側を備えていることができる。
更に，一つの実施例においては，２つの殻体が，ボックスを閉止する協働する形態固定閉止手段を備えていてもよい。
ボックスの好ましい実施例では，ボックスが閉じられた時，下部殻体のフラップに重なる上部殻体の前記第１の面側に形成されたフラップ状壁を備えている。前記フラップ状壁は垂直方向に対して小さい角度を持って傾斜しながら下方に伸びて下部殻体のフラップに重なっている。前記ボックスは，かくして一切の張力なしに閉じることができる。あるいは，ボックスが閉じられたときに，フラップとフラップ状壁との間にわずかな押圧力が得られる。この設計により，ボックス全体，特に第１の面側の剛性が向上する。
前記ボックスはダンボールあるいはパルプで構成することが好ましい。
さらにこの発明は，前記したような種類の運搬ボックス及び／又は販売ボックスと，スポーツ用品，特に，弾性材料からなるスポーツシューズあるいはスポーツ服用のバッグを含むシステムであって，バッグは，スポーツ用品，特に一対のスポーツシューズを収納するための収容空間を備え，バッグが該バッグを持ち運ぶためのハンドルを含むシステムを提供する。このようなシステムは，前記ハンドル及びフラップが，バッグがボックスの前記収容空間に収容されたときに，前記ハンドルにフラップが，引っかかるように設計されていることを特徴とする。
好ましくは，前記ハンドル自身にあるいはそこにラベルあるいはタグが設けられる。
このようにして，この発明にかかる運搬ボックス及び／又は販売ボックスは，それによって製品，たとえば履物搬送具（例えば，一対のシューズの収納バッグ）の設置と移動が容易な２つの開放された隣接側部を備えた２個の殻体を含む。
運搬ボックスは，その内部に更に，履物搬送具の一部を収容するように設計された開放部分を含む。例えば，履物運搬具内の履物に関する表示を含むタグあるいはラベルが配置される。前記開放部分は，運搬ボックスの本体内に履物運搬具を固定するために機能し，履物運搬具の履物ボックスに接触したりそれを操作したりすることなく，タグ若しくはラベルをユーザが見えるようにする。開放部分は，（傾いた，あるいは傾かない）片持ち梁状の戻り止めと，履物運搬具に連携したラベルのタグを固定するのを助けるつまみ（タブ）部を含む。
運搬ボックスは更に１またはそれ以上の蝶番，例えば，使われていない若しくは開放されていない運搬ボックスの製造及び運搬を容易にする伝動蝶番を含む。１またはそれ以上の伝動蝶番を用いることによって，運搬ボックスは開放状態で一緒に収めることができ，それによりスペースを節約できる。
使用にあたって，また，収容状態からの組み立てにあたって，運搬ボックスはそのヒンジに沿って操作され，運搬ボックスの一端が他端にしっかり固定される。前記固定手段は，接着剤，つまみ，戻り止め，スナップ（係合部），あるいはそれに類似したものを含む。
運搬容器は，更に，履物運搬具，ラベル，ユーザによる操作部を収容するための特徴，例えば，穴，付加物，溝などを含む。例えば，運搬容器は，その使用を助けるためにユーザの手のひらや指を置くためのハンドル部を含む。
組み立てられると，（その中に履物運搬具があろうとなかろうと）運搬容器は他の運搬容器の上にしっかりと積み重ねられる。それぞれの運搬容器は，他の運搬容器の突出部又は溝と係合するための溝と突出部を反対側に備えている。運搬容器は，これらの対向する溝及び突出部を用いて垂直に及び／又は水平に積み重ねることができる。運搬容器を水平方向に並べる場合，ヒンジ部材が前記溝あるいは突出部として機能し得る。
前記運搬容器は，従来のカードボードシューズボックスよりも軽量で材料も少ないように設計されている。前記運搬容器は，パルプ，成型繊維，再生紙，あるいはさらに硬度のあるプラスチックのような軽量組成物で製造することができる。前記運搬容器は，耐久性があり，小売店によって再生可能であり，小売店の特定場所に積み重ねたり，置くことができ，また，履物運搬具を内部に入れた状態で再収用することができる。例えば，履物運搬具の船積み時，従来のシューズボックスは必要でなく，そのために安価で，小型で，環境に配慮したものである。
この発明の履物運搬具によれば，配達業者，卸業者，小売業者，あるいはユーザ段階で，余計な買い物バッグや買い物箱が不要になる。履物運搬具（例えば，ソフトサイドバッグ）はシューズボックス型運搬具を廃止したため，常に，既存のシューズボックスよりも９０％以上軽量であり，より効率的に船積み箱の中に収まる。すなわち，１個の船積み箱により多くの履物運搬具が収まる。このように容積と重量が減少することで，多くのコストを削減できる。
この履物運搬具は，閉じられていない又は開放状態で，２つのシューズが容易に運搬具の中に収まるように設計される。この履物運搬具は更に，ボタンと穴の閉鎖構造（システム）を有し，そこでは，該閉鎖構造のボタン部が，反対側の内壁に対向した履物運搬具の内部に収容されており，該閉鎖構造の穴部が，ボタンの反対側にある対向内壁に沿って配置されている。使用中及び履物が履物運搬具内に収められた後，ボタンがボタンホールを通じて履物運搬具内に挿入されて履物運搬具の対向壁（すなわち，内壁と外壁の両方）を連通し，それにより，２つのポケットを形成する中央セパレータを形成する。履物運搬具のそれぞれのポケットは，かくして一足のシューズを収容する。このようにポケットが分離されることで，履物が相互に擦れることがなく，最終エンドユーザに対してそれらを新品状態で提供できる。
前記履物運搬具は，さらに閉鎖構造（システム）を具備する。閉鎖構造は，履物をそれぞれのポケットの中で所定位置に固定するとともに，履物が履物運搬具から落下するのを防止するように，設計されている。前記閉鎖構造はさらに，表示をディスプレイし，履物運搬具内に収容されている履物又はアパレルを識別するためのラベルシステム又はタグシステムとして操作される。さらに，閉鎖構造のハンドルは，持ち主に快感を与えるようにデザインされている。すなわち，ユーザの握りを収める広幅に作られており，それはレベルやタグの表示を見せるための領域となる。
具体的には，シューズバッグは，弾性材料で製造することができ，一対のシューズを収納する収容空間を具備する。前記収納空間は，収納空間に固定された弾性材料よりなる分離体で２つの部屋に分割される。前記バッグは一方の端部に収納用開口を備え，その収容開口に閉鎖機構が設けられる。この閉鎖機構は，収納開口の一方の側にハンドルを備えており，これはシューズバッグの材料に固定される。収容開口の他方の側には穴が配置され，穴は，シューズバッグを閉じるにあたって穴にハンドルを通すためにシューズ材料内で機能する。さらに，表示要素は，ハンドルに固定されるか又は取り外し可能に設けることができる。
ラベルシステム又はタグシステムは，履物運搬具のハンドルに取り外し自在に取り付けられる。前記ラベルシステムは，履物に関連する情報，例えば，履物のサイズ，色，スタイル，及びバーコード情報を含む。履物運搬具のハンドルは，表示を含むラベル又はタグを収容するために十分な幅を有する。前記ラベルシステムは，いずれかの端部に，蝶型あるいはT字型のハンドルを具備した半剛性のバー部分を含む。そのハンドルは，閉鎖システムのハンドル部の周りを覆うことのできる接着部を備えている。ラベルシステムの硬い本体で作られているため，小売りパートナのユーザが見えるようにラベルと表示は真っ直ぐに剥き出しになっている。
履物運搬具の他の実施例において，分割部によって分離されたハウジング部が含まれており，そこでは，それぞれの収容部はフラップ部分と，ボタン又は掛け穴の閉鎖システムの一つを具備する。この履物運搬具用ラベルシステムは，上述のラベルシステムと同様であり，前記ボタン及び掛け穴の閉鎖システムの使用時，履物を運ぶハンドルとして同様に動作する。
この発明の履物運搬具は，例えば，柔軟構造のタイベックス（登録商標）のような，不パンボンドされたポリプロピレン繊維又は綿などの天然繊維の軽量材料で製造される。その材料は一般に耐水性及び防塵性を有することが好ましい。
【発明の効果】
【０００８】
この発明の運搬用容器及び履物運搬具は，ランニングシューズやウオーキングシューズなどの履物に使用される。しかしながら，アパレル用及びその他の消費材を上述の履物に代えることもできる。
【図面の簡単な説明】
【０００９】
【図１】本発明の第１の実施例に係る運搬及び／若しくは販売ボックス（空の状態）の斜視図。
【図２】シューズバッグを挿入しようとしている状態での運搬及び／若しくは販売ボックスの斜視図。
【図３】シューズバッグが挿入された状態での運搬及び／若しくは販売ボックスの斜視図。
【図４】図１〜図３に示された運搬及び／若しくは販売ボックスの前部拡大斜視図。
【図５】積み重ねられた運搬及び／若しくは販売ボックスの販売時の使用状態を示す斜視図。
【図６】図１に示す空の運搬及び／若しくは販売ボックスの他の方向から見た斜視図。
【図７】開いた状態で積み重ねられたボックスの斜視図。
【図８】本発明の第２の実施例に係る運搬及び／若しくは販売ボックスの斜視図。
【図９】一対のスポーツシューズが挿入されつつあるシューズバッグを示す図。
【図１０】一対のスポーツシューズが挿入されているシューズバッグを示す図。
【図１１】シューズバッグのハンドルに取り付けられるタグを示す図（ａは，タグ自信を示し，ｂは，タグのハンドルへの取り付け工程を示し，ｃは，タグのハンドルへの取り付け状態を示す）。
【図１２】本発明の第３の実施例に係る運搬ボックスの一部を示す斜視図。
【図１３】図１２に示された運搬ボックスの部分的に開いた状態を示す斜視図。
【発明を実施するための形態】
【００１０】
図１〜図４に，スポーツシューズ用の運搬及び販売用ボックス１が示されている。ボックス１は，下部殻体２と上部殻体３とを備えている。両殻体２，３は，パルプからなるシート形状の素材（基礎材料）から作られ，ボックス材料の結合部位から構成されるヒンジ部材９によって結合されている。２個の殻体２，３が図１〜図４に示す位置にあるとき，それらは，一対のシューズ用の収容空間４を形成する。
【００１１】
ボックス１の第１の面側５は，特殊なデザインとなっている。ここに，下部殻体２は，実質的に平坦な形状をなし，下部殻体２の材料から構成されるフラップ６を備えている。フラップ６は，殻体２が地面に置かれたときに，図示のように実質的に垂直方向に延びるものである。フラップ６は，その上端領域に突出部１１を備えており（具体的には図４参照），突出部１１は，前記平面フラップ６の平面から実質的に垂直に延びている。
【００１２】
前記第１の面側５において，上部殻体３は，実質的に長方形の切欠き７を備えている。こうして両殻体２，３がボックス１の使用状中に目的の位置に置かれた状態で，前記第１の面側５に開口８が形成される。図（図４参照）から明らかなように，上部殻体３もまた，切欠き７の縁部領域に突出部１２を備えている。この突出部１２はまた，殻体３の平面に対して実質的に垂直に延びている。
【００１３】
前記第１の面側５の反対側に，第２の面側１３が設けられている。ここで，ボックス１，即ち両殻体２，３が，実質的に開放されている。即ち，開口１４が殻体２，３の材料内に加工される。このようにして，一対のシューズが収容されたバッグ２１を収容空間４に挿入させ或いは滑り込ませることができる（図２及び３参照）。具体的には，図２に見られるように，一対のシューズの入ったバッグ２１は，殻体２，３で構成された収容空間４にその背後から押し込まれる。
【００１４】
前記バッグ２１は，バッグ２１を持ち運ぶためのハンドル（下げ紐あるいはベルト）２２を備えている。ハンドル２２は，バッグ２１が完全に前記収容空間４に挿入された状態で，ボックス１の前記第１の面側５の領域にまで達する。こうして，図３及び４に示されるように，このバッグ２１の位置において，ハンドル２２はフラップ６に掛けられる。ハンドル２２には，バッグ２１内のシューズのタイプに関する情報を持ち運ぶタグ２３が設けられる。別言すれば，バッグ２１は，構造上のつまみとなるフラップ６にハンドル２２が掛けることで所定の場所に固定される。
【００１５】
上部殻体３の頂上側１６には，実質的にボックス１をその上部領域において開放する切欠き１５が加工される。
【００１６】
ボックス１を効果的に積み重ねるために，下部殻体２の底側は，上部殻体３内の切欠き１５に適合するように型押し加工（エンボス加工）がされている。複数のボックス１を積み重ねた状態が図５に示されている。
【００１７】
図６には，別角度から見た上述のボックス１が示されている。ここで，形態固定閉鎖手段１７，１８，１９，２０が，ボックス１の一面側の領域に形成されている。さらに具体的には，閉鎖手段は，ボックスと同じ材料で構成され，下部殻体２の上端部に形成された２個の突起１７，１９を備えている。上部殻体３の底端部には，対応する２個の開口１８，２０が加工されている。ボックス１が閉じられたとき，即ち，下部殻体２と上部殻体３が，図１に示す位置に置かれたとき，突起１７と１９が開口１８と２０に係合する。
【００１８】
他の詳細は図６からも明らかとなる。前記２つの殻体２，３は，中間平面１０で実質的に接している。フラップ６は，中間平面１０を越えて垂直上方に伸び，これにより，上部殻体３の第１の面側５にある切欠き７の一部を閉じる。
【００１９】
前記２つの殻体２，３を軸周りに旋回させた状態で，図７に示すようにボックス１を効率良く積み重ねることができる。このようにして，複数のボックス１を小さい空間に収容することができる。
【００２０】
図８には，ボックス１の他の実施例が示してある。細部において図１〜７に示された実施例とは多少相違している。たとえば，開口１４（図１参照）は，ここでは省かれている。即ち，ボックス１は，第２の面側１３で閉じられている。別の特徴は，ボックス１が，図示する状態に構成された２個のプラスチック製の殻体２，３からなっている点である。
【００２１】
第１の面側５における切欠きの形状及びフラップは特別な形状をしており，単にバッグのハンドルを通すためだけでなく，上部殻体３を開くためにボックス１を指が掴むのに適した穴を形成する開口を形成している。
【００２２】
図９及び図１０に，一対のスポーツシューズが入ったシューズバッグ２１が示されている。ハンドル２２はシューズバッグ２１を持ち運ぶのに適している。図９は，バッグ２１に２個のシューズを入れるところを示しており，図１０は，閉められたバッグ２１を示している。図９に示されるボタンの掛けられていない（閉じられていない）状態において，バッグ２１は開いた状態で，その状態でシューズは容易に挿入される。図１０で示された閉じられた状態で，シューズは互いに擦れあわないように離されている。これは，バッグ２１内の分離具によって達成される。
【００２３】
具体的には，繊維のような弾性材料からなる分離具をシューズバッグ２１に一体化することで行われる。すなわち，即ち，分離具は，シューズバッグ２１内でそれぞれシューズを収納する２つの空間を構成する内壁を形成する。そのような分離具は，バッグの内部空間を斜めに横切る。分離具は，バッグ内に縫い付けてもよい。
【００２４】
図１１ａから図１１ｃには，タグ２３がどうやってバッグ２１のハンドル２２に設けられるかが示されている。タグは，曲げられた後にその形を維持できる平坦な可撓性材料からなっている。こうして，タグ２３は，ハンドル２２の周りで曲げられる側部片（サイドストリップ）を用いて，ハンドル２２に固定される。図１１ａ，１１ｂ，及び１１ｃの３つの図は，ハンドル２２にタグ２３を固定する方法を示している。
【００２５】
当然，タグ２３の別の固定方法を採用することもできる。たとえば，タグ２３を接着手段でハンドル２２に取り付けてもよい。
【００２６】
タグ２３をハンドル２２に取り付けることで，製品又はボックスに別のラベルを取り付けることもできる。
【００２７】
図１２及び１３には，この発明の別の実施例が示されている。ここでは，フラップ状の壁６´を形成するように，上部殻体３の切欠き７が形成される。このデザインは図８に示す構成に多少似ているが，ここでのフラップ状の壁６´は，それが下部殻体２のフラップ６（図１２参照）に重なるように，下方に伸びている。即ち，上部フラップ状の壁６´は，ボックス１が閉じられてフラップ６の頂部に係合する時に下降してくる。
【００２８】
この発明の長所は，ボックス全体としての硬さが向上している点である。これはバッグ２１がボックス１に入れられ，ボックス１とバッグ２１とがハンドル２２を用いて運搬されるときに特に発揮される。この場合，フラップ状の壁６´がボックス１の第１の面側を強化する。ハンドル２２は，このようにして，維持されるべき位置が容易にずれることが防止される。さらにボックスの安定性がボックスを積み重ねることによって生じる力を向上させる。
【符号の説明】
【００２９】
１…ボックス
２…下部殻体
３…上部殻体
４…収容空間
５…第１の面側
６…フラップ
６´…フラップ状壁
７…第１の切欠き
８…開口
９…ヒンジ部材
１０…中間平面
１１…第１の突出部
１２…第２の突出部
１３…第２の面側
１４…開口
１５…第２の切欠き
２１…バッグ
２２…ハンドル
２３…ラベル
【図１】
2012512108.tif 000003
【図２】
2012512108.tif 000004
【図３】
2012512108.tif 000005
【図４】
2012512108.tif 000006
【図５】
2012512108.tif 000007
【図６】
2012512108.tif 000008
【図７】
2012512108.tif 000009
【図８】
2012512108.tif 000010
【図９−１０】
2012512108.tif 000011
【図１１ａ】
2012512108.tif 000012
【図１１ｂ】
2012512108.tif 000013
【図１１ｃ】
2012512108.tif 000014
【図１２】
2012512108.tif 000015
【図１３】
2012512108.tif 000016
【手続補正書】
【提出日】平成23年9月21日(2011.9.21)
【手続補正１】
【補正対象書類名】特許請求の範囲
【補正対象項目名】全文
【補正方法】変更
【補正の内容】
【特許請求の範囲】
【請求項１】
スポーツ用品，特に，弾性材料で製造されたスポーツシューズ或いはスポーツ服の運搬用または販売用ボックス（１）及びスポーツ用品用バッグ（２１）を含むシステムであって，
前記ボックス（１）は，特に一対の靴を収納するようにデザインされており，さらに前記ボックス（１）は，下部殻体（２）と上部殻体（３）からなり，上記殻体（２，３）のいずれかが他方の上に被せられたとき，殻体（２，３）の内部にスポーツ用品，特に一対の靴のための収容空間（４）が形成されていると共に，
前記ボックス（１）は，殻体（２）の一部によって形成されたフラップ（６）が配置された第１の面部（５）を備え，上記第１の面部（５）には他の殻体（３）に加工された第１の切欠き（７）が設けられ，これによってボックス（１）の通常の使用状態において開口（８）が形成されるものであるシステムにおいて，
前記バッグ（２１）は，スポーツ用品，特に一対のスポーツシューズを収納するための収容空間を備えていると共に，更にバッグ（２１）は，バッグ（２１）を持ち運ぶためのハンドル（２２）を備え，上記ハンドル（２２）及びフラップ（６）は，バッグ（２１）がボックス（１）の上記収容空間に収容されたときに，上記ハンドル（２２）にフラップ（６）が，引っかかるように設計されていることを特徴とするシステム。
【請求項２】
前記上部殻体（３）および前記下部殻体（２）は，両者を結合するヒンジ部材（９）によって永続的に結合されており，殻体（２，３）は，その一方が他方に対して回動する請求項１に記載のシステム。
【請求項３】
２つの殻体（２，３）は単一素材により作られ，ヒンジ部材（９）は上記素材から形成されてなる請求項２に記載のシステム。
【請求項４】
前記上部殻体（３）及び下部殻体（２）が，結合手段によって互いに結合できる別体から構成され，結合手段は，望ましくはぴったり密着する結合手段である請求項１に記載のシステム。
【請求項５】
前記上部殻体（３）及び下部殻体（２）が，それらの主当接領域において中間平面（１０）を構成しており，一方の殻体（２）のフラップ（６）は，上記中間平面（１０）を超えて他方の殻体内（３）に延びている請求項１〜４のいずれかに記載のシステム。
【請求項６】
前記フラップ（６）がその端部の領域に第１の突出部（１１）を備えており，上記第１の突出部（１１）は，前記殻体（２）の前記第１の面側（５）の面に垂直に延びている請求項１〜５のいずれかに記載のシステム。
【請求項７】
前記第１の突出部（１１）が，分割されている請求項６に記載のシステム。
【請求項８】
前記切欠き（７）を備えた殻体（３）が，切欠き（７）の境界線に沿った突出部（１２）を備えており，突出部１２が殻体（３）の前記第１の面側（５）に垂直に延びている請求項１〜７のいずれかに記載のシステム。
【請求項９】
前記殻体（２，３）が，前記第１の面側（５）に反対側の第２の面側（１３）を備えなる請求項ｌ〜８のいずれかに記載のシステム。
【請求項１０】
前記上部殻体（３）が，その頂上側（１６）に切欠き（１５）を備えている請求項ｌ〜９のいずれかに記載のボックス。
【請求項１１】
前記２つの殻体（２，３）が，ボックス（１）を閉止する協働形態固定閉止手段（１７，１８，１９，２０）を備えてなる請求項ｌ〜１０のいずれかに記載のシステム。
【請求項１２】
フラップ状壁６´が，ボックス（１）が閉じられた時，下部殻体（２）のフラップ（６）と重なる上部殻体（３）の前記第１の面側（５）に形成されている請求項ｌ〜１１のいずれかに記載のシステム。
【請求項１３】
ボックス（１）が，ボール紙あるいはパルプからなっている請求項ｌ〜１２のいずれかに記載のシステム。
【請求項１４】
前記ハンドル（２２）自身にあるいはその上にラベルあるいはタグ（２３）が設けうるものである請求項１〜１３のいずれかに記載のシステム。
【国際調査報告】
2012512108.tif 000017
2012512108.tif 000018